(57)【要約】【課題】樹脂成形品でありながら、あたかも本物の金属を切削して製造されたような見栄えを視認者に与えることができ、金属切削品に比べ低コストで得られる旭光文字板及び旭光文字板を備えた自動車用メータを提供する。【解決手段】旭光文字板１１は、成形金型４９の金型目付成形面５１によって旭光目付領域５３が成形される樹脂製の基板本体４３と、旭光目付領域５３の中心Ｃから半径方向外側に交差せずに放射状に延びて最外周端５４における間隔が１μｍ以下となるように形成され、旭光目付領域５３に旭光模様を付与する複数の微細な溝４７と、基板本体４３の少なくとも旭光目付領域５３に被着される金属薄膜４５と、を備える。【選択図】図３
2015114228.tif 000002
【特許請求の範囲】
【請求項１】
成形金型の金型目付成形面によって旭光目付領域が成形される樹脂製の基板本体と、
前記旭光目付領域の中心から半径方向外側に交差せずに放射状に延びて最外周端における間隔が１μｍ以下となるように形成され、前記旭光目付領域に旭光模様を付与する複数の微細な溝と、
前記基板本体の少なくとも前記旭光目付領域に被着される金属薄膜と、
を備えることを特徴とする旭光文字板。
【請求項２】
請求項１に記載の旭光文字板であって、
前記溝は、隣合う溝同士で深さが異なることを特徴とする旭光文字板。
【請求項３】
請求項１または請求項２に記載の旭光文字板であって、
前記基板本体が、転写性の良い樹脂材料により成形されることを特徴とする旭光文字板。
【請求項４】
請求項１〜３の何れか１項に記載の旭光文字板を備えることを特徴とする自動車用メータ。
【発明の詳細な説明】
【技術分野】
【０００１】
本発明は、旭光文字板及び旭光文字板を備えた自動車用メータに関する。
【背景技術】
【０００２】
熱、振動等による使用環境条件が過酷な例えば自動車用メータに用いられる文字板には、ステンレスやアルミニウムなどの金属により製造されることで、自動車用メータに金属感、高級感或いは装飾性を持たせるようにしたものが知られている（特許文献１等参照）。同文献の文字板は、板部材が金属からなり且つ表面に旭光目付が施される。
【０００３】
旭光目付は、ブラシなどにより金属表面に微細な溝の目付を行うことで、溝に反射した外部光により、金属文字板の表面に放射状の光沢が生まれる。ブラシによる目付は、金属文字板の中心に向かう方向にブラシをストロークさせ、表面に微細な溝を形成する。それと同時に文字板を回転させる。即ち、ブラシをストロークさせた後、文字板を微小角度だけ回転させ、次のストロークを行う。
【先行技術文献】
【特許文献】
【０００４】
【特許文献１】特開２００３−４４９５号公報
【発明の概要】
【発明が解決しようとする課題】
【０００５】
しかしながら、従来の目付方法では、一回のストロークでブラシ幅に相当する複数本の目付が同時に施される。先のストロークの目付は、文字板の中心へ向かう直線上の目付であり、後のストロークも同様である。そのため、先のストロークと後のストロークの目付は、互いに交差する箇所が多数現れる。このような交差する箇所が多数現れた旭光目付は、白色の光沢となり、金属加工としての質感が低下する。また、ブラシなどにより金属文字板の一枚一枚に微細な溝による目付を行うことは、全く同じ旭光模様を量産することに向かず、材料コスト、製造コストも嵩み高価となる。更に、金属文字板は、重量が大きく、特に車輌用の自動車用メータに用いられる場合には軽量化の点で不利となる。
【０００６】
本発明は上記状況に鑑みてなされたもので、その目的は、樹脂成形品でありながら、あたかも本物の金属を切削して製造されたような見栄えを視認者に与えることができ、金属切削品に比べ低コストで得られる旭光文字板及び旭光文字板を備えた自動車用メータを提供することにある。
【課題を解決するための手段】
【０００７】
本発明に係る上記目的は、下記構成により達成される。
（１）  成形金型の金型目付成形面によって旭光目付領域が成形される樹脂製の基板本体と、前記旭光目付領域の中心から半径方向外側に交差せずに放射状に延びて最外周端における間隔が１μｍ以下となるように形成され、前記旭光目付領域に旭光模様を付与する複数の微細な溝と、前記基板本体の少なくとも前記旭光目付領域に被着される金属薄膜と、を備えることを特徴とする旭光文字板。
【０００８】
上記（１）の構成の旭光文字板によれば、樹脂製の基板本体の表面には、成形金型の金型目付成形面から転写された旭光目付領域が成形される。旭光目付領域には、微細な溝が交差せずに放射状に多数施される。つまり、目付の溝は、交差せずに、中心から半径方向外側に真直に延びて整然と配置される。放射状に延びる微細な溝は、最外周端における間隔が１μｍ以下とされている。これにより、それぞれの溝で反射した光が互いに干渉し、虹色模様として見える。本構成によれば、最外周端における間隔が１μｍ以下とされることで、光の干渉が生じ、虹色の光沢が得られる。特に、最外周端における溝の間隔が１μｍ以下とされることで、金属調としての質感がより効果的に強調される。
【０００９】
（２）  上記（１）の構成の旭光文字板であって、前記溝は、隣合う溝同士で深さが異なることを特徴とする旭光文字板。
【００１０】
上記（２）の構成の旭光文字板によれば、隣合う溝毎に反射される反射光の波長が異なるものとなり、現れる光沢における違和感のある規則性が抑制される。これにより、旭光模様が作為的とならず、より本物感に富んだ金属感が得られる。
【００１１】
（３）  上記（１）または（２）の構成の旭光文字板であって、前記基板本体が、転写性の良い樹脂材料により成形されることを特徴とする旭光文字板。
【００１２】
上記（３）の構成の旭光文字板によれば、成形金型の金型目付成形面に形成された旭光目付の微細な金型溝を、樹脂成形品である基板本体により微細な溝として忠実に再現することができる。
【００１３】
（４）  上記（１）〜（３）の何れか１つの構成の旭光文字板を備えることを特徴とする自動車用メータ。
【００１４】
上記（４）の構成の自動車用メータによれば、金属調としての質感を低下させる白色の光沢が生じず、旭光模様が虹色の光沢を有するので、視認者に高級感の印象を与えることができる。
【発明の効果】
【００１５】
本発明に係る旭光文字板及び旭光文字板を備えた自動車用メータによれば、樹脂成形品でありながら、あたかも本物の金属を切削して製造されたような見栄えを視認者に与えることができ、金属切削品に比べ低コストで得られる旭光文字板及び旭光文字板を備えた自動車用メータを提供することができる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】（ａ）は本発明の一実施形態に係る旭光文字板を備える車両用コンビネーションメータの正面図、（ｂ）は（ａ）におけるＡ−Ａ断面図である。
【図２】（ａ）は図１に示した速度計の正面図、（ｂ）は（ａ）のＢ部における旭光目付領域の要部拡大図である。
【図３】（ａ）は図２の（ｂ）におけるＢ−Ｂ断面を模式的に表した断面図、（ｂ）は金型目付成形面と樹脂材料を模式的に表した断面図である。
【図４】図３の（ａ）に示した旭光目付領域における光の干渉を表す作用図である。
【図５】比較例に係る金属文字板のブラシによる目付のストローク方向を模式的に表した要部拡大正面図である。
【図６】比較例に係る金属文字板の要部拡大写真である。
【図７】本実施形態に係る旭光模様が付された旭光文字板の要部拡大写真である。
【発明を実施するための形態】
【００１８】
以下、本発明に係る実施形態を図面を参照して説明する。
図１の（ａ）、（ｂ）に示すように、本発明の一実施形態に係る旭光文字板１１を備える車両用コンビネーションメータ１３は、ケース１５と、速度計１７と、燃料計１９と、回転計２１と、水温計２３と、シフト表示部２５と、ターン表示部２７と、マルチ表示部２９と、を備える。例えば速度計１７及び回転計２１は、配線板３１に内機３３が固定される。内機３３には指針３５の回転軸３７が突設される。ケース１５には見返し３９が取り付けられ、見返し３９は配線板３１や内機３３等を覆い、開口から上記の各種メータ類を表出させている。見返し３９の表側は、ケース１５に取り付けられる透明カバー４１によって更に覆われる。
【００１９】
本実施形態に係る旭光文字板１１は、上記の車両用コンビネーションメータ１３における自動車用メータである速度計１７、回転計２１、燃料計１９及び水温計２３に適用することができる。以下、本実施形態においては、速度計１７における旭光文字板１１を例に説明する。
【００２０】
図１〜図２に示すように、旭光文字板１１は、基板本体４３と、溝４７と、金属薄膜４５と、を有する（図３の（ａ）参照）。
【００２１】
本実施形態に係る基板本体４３は、円板状の合成樹脂材からなり、図３の（ｂ）に示す成形金型４９の金型目付成形面５１によって旭光目付領域５３が成形される。基板本体４３の内側には円板状の中央円板部５５が設けられ、中央円板部５５は中心Ｃに指針３５の回転軸３７が貫通する軸孔５７を有する。
【００２２】
基板本体４３は、中央円板部５５の外側に、環状の旭光目付領域５３が連設されている。旭光目付領域５３には、円周方向に所定間隔で目盛突起５９が突設されている。基板本体４３は透明な樹脂材で成形されており、導光板として作用する。そこで、目盛突起５９の突出端面からは、図示しない光源から導光された光が出射される。旭光目付領域５３の外側は、目盛付き傾斜面６１となる。目盛付き傾斜面６１の外側には、急傾斜してリング状となる枠壁部６３が連設されている。枠壁部６３の更に外側には、外側に下り傾斜する逆傾斜面が連設される。逆傾斜面は、速度文字６５が所定間隔で設けられた外周文字板６７となる。
【００２３】
本実施形態の旭光目付領域５３は、基板本体４３の表面に軸孔５７を中心に少なくとも円環状に設けられる。ここで、少なくとも円環状に設けられるとは、中央円板部５５も含めて旭光模様が付されてもよい意味である。
【００２４】
本実施形態に係る溝４７は、図２の（ｃ）に示すように、旭光目付領域５３の中心Ｃから半径方向外側に交差せずに放射状に延びている。溝４７は、微細な複数の溝からなり、最外周端５４において、その間隔（溝底の間隔Ｐ）が２μｍ以下（好ましくは略１μｍ）として配置されている。本実施形態において、溝４７は、最外周端５４における間隔が１μｍ以下となるように形成されて旭光目付領域５３に旭光模様が付与される。これら溝４７は、成形金型４９の金型目付成形面５１から転写されることで形成される。
【００２５】
本実施形態に係る溝４７は、隣合う溝同士で深さが異なる。溝４７の深さを異ならせることで旭光模様が目視により作為的とならず、より本物感に富んだ金属調表面となる。これらすべての溝４７の延長線上に基板本体４３の中心Ｃがある（図２の（ｂ）参照）。本構成では、中心部分のないリング状の基板本体４３を例に挙げるが、基板本体４３が円板状の部品の場合、それぞれの溝４７は基板本体４３の中心Ｃまで延在して収束する。
【００２６】
なお、図３の（ｂ）に示す金型目付成形面５１の金型溝７１の深さＤは、最大１μｍでランダムとされる。具体的には、この金型目付成形面５１にて基板本体４３を樹脂成形し、後述するアンダーコート６９と金属薄膜４５で覆われた旭光文字板１１の溝４７を測定すると、図３（ａ）に示した溝４７の深さｄは、０．０２４〜０．４３７となる（なお、この測定値は、旭光目付領域５３の一部分である）。このことから、金型目付成形面５１の金型溝７１の深さＤは、１μｍ以下で推移していると考えられる。
【００２７】
本実施形態において、旭光模様は、金型目付成形面５１から転写される。金型目付成形面５１は、エッチング、バフ、研磨等によっては形成されない。これは、旭光模様の再現性を確保し、成形金型４９の量産を可能とするためである。
【００２８】
成形金型４９は、各生産拠点用として複数のものが製造される。この際、金型を製作する加工情報は、共通の加工データとして加工機械に記憶される。この加工機械としては、例えばＮＣ（Numerical Control）フライス盤を用いることができる。微細溝入れ加工用の工具としては、例えば超精密ダイヤモンド切削工具を使用することができる。この種の超精密ダイヤモンド切削工具は、数百ｎｍの超微細溝入れ加工が可能となる。その結果、精密プラスチック金型の材料である無電解ニッケルめっきや銅、アルミ等への超微細溝入れ加工が可能となる。加工データは、金型素材の位置や主軸の動き等を数値化したものとなる。これにより、旭光目付は、任意の成形金型４９の金型目付成形面５１においても、均一な品質で形成される。
【００２９】
また、基板本体４３を成形する樹脂材料には、転写性に優れるものが使用される。樹脂材料の転写製の良さを左右する性能として、流動性が挙げられる。流動性が高いと、成形時に金型形状に樹脂材料が隙間無く充填されるため、金型形状に追従した成形品を得ることができる。一方、流動性が低い樹脂材料の場合、樹脂材料の充填が不十分なまま固まってしまい、金型の形状に追従しない成形品となってしまう。
【００３０】
流動性を備える樹脂材料としては、シクロオレフィンポリマー樹脂（ＣＯＰ）等の熱可塑性プラスチックを好適に用いることができる。これにより、成形金型４９に射出される樹脂材料は、金型目付成形面５１に形成されている旭光目付模様を、基板本体４３の旭光目付領域５３に忠実に転写することができる。
【００３１】
本実施形態に係る金属薄膜４５は、基板本体４３の少なくとも旭光目付領域５３に被着される。旭光目付領域５３は、金型目付成形面５１に形成した旭光目付を転写した樹脂成形部分の環状平板部に対し、金属薄膜４５を施すことで金属調に仕上げられている。ここで、従来では、成膜する金属としてアルミを使用していたが、本構成では、チタンが用いられる。基板本体４３とチタンの密着性を高めるために、チタン成膜前に、基板本体４３の旭光目付の施された領域には、図３の（ａ）に示すアンダーコート６９がコーティングされる。つまり、旭光目付の施された領域に、アンダーコート６９を介してチタン薄膜からなる金属薄膜４５が成膜されている。チタン薄膜は、蒸着によって成膜される。
【００３２】
金属薄膜４５の膜厚は、０．００１〜１μｍの範囲内の値とされることが望ましい。これにより、旭光目付において、より本物感に富んだ金属調表面が、より確実に表現され得る。
【００３３】
なお、本実施形態では、金属薄膜４５としてチタン薄膜が用いられるが、本発明に係る旭光文字板は、金属薄膜４５として、この他の金属、例えばアルミ、ステンレス、金、銀、白金、銅、亜鉛、ニッケル、クロム、錫、モリブデン等が用いられることを妨げるものではない。特に、後述するように、塩化物溶液中での腐食を考慮する必要のない場合には、ステンレスを用いても本構成と同等の効果を得ることができる。また、金属調の風合いとして艶消し等が求められる場合には、不動態皮膜である酸化アルミニウムを形成したアルミ薄膜を旭光目付に成膜してもよい。但し、これらの場合においてもトップコート層を設けないことが要件となる。これは、形成された目付の溝形状にトップコートが追従できず、外部光の反射によりトップコートが目立ってしまうことを抑制するためである。
【００３４】
次に、上記構成を有する旭光文字板１１の作用を説明する。
本実施形態に係る旭光文字板１１によれば、樹脂製の基板本体４３の表面には、成形金型４９の金型目付成形面５１から転写された旭光目付領域５３が成形される。旭光目付領域５３には、微細な溝４７が交差せずに放射状に多数施されている。つまり、目付の溝４７は、交差せずに、中心Ｃから半径方向外側に真直に延びて整然と配置されている。
【００３５】
図４に示すように、外部光は、微細な溝４７により反射角θで反射され、人間の目に到達する。放射状に延びる微細な溝４７は、最外周端５４における間隔（ピッチＰ）が１μｍ以下とされている。これにより、例えば外部光７５と外部光７７がそれぞれの溝４７で反射した反射光７９と反射光８１が互いに干渉し、虹色模様として見える。溝４７の間隔をピッチＰ、外部光の波長をλとすると、反射光が互いに強め合う条件は、Ｐｓｉｎθ＝ｍλ（但し、ｍは整数）が成り立つ。
【００３６】
即ち、経路の差が波長の整数倍になると、反射光７９と反射光８１は山と山、谷と谷が同期して伝播するので、外部光７５と外部光７７とが強め合うことになる。実際は、様々な反射角の反射光が視界に入る。図４はその内の１つを示したものである。従って、図７のような旭光目付領域５３には、溝毎に色の異なる光沢を見ることになる。また、見る角度を変えると、溝１本１本の光沢色も変化することとなる。なお、放射状に延びる微細で平行な溝４７は、溝４７の間隔が１．５〜２．０μｍ付近においても虹色模様として見える。
【００３７】
一方、図５に示す比較例に係る金属文字板７３は、ブラシ（図示略）により目付が施されている。ブラシによる目付は、金属文字板７３の中心に向かう方向にブラシをストロークさせ、表面に微細な溝４７を形成する。それと同時に金属文字板７３を矢印Ｒ方向に回転させる。即ち、ブラシをストロークさせた後、金属文字板７３を微小角度だけ回転させ、次のストロークを行う。このため、一回のストロークＳでブラシ幅に相当する複数本の目付（溝４７）が同時に施される。先のストローク８３の目付は、金属文字板７３の中心へ向かう直線上の目付であり、後のストローク８５も同様である。そのため、先のストローク８３と後のストローク８５の目付は、互いに交差する箇所が多数現れる。このように、溝４７の交差する箇所が多数発生していると、光の干渉が発生せず、図６に示すように、白色の光沢となる。
【００３８】
これに対し、本実施形態に係る旭光文字板１１によれば、最外周端５４における間隔が１μｍ以下とされることで、光の干渉が生じ、図７に示す虹色の光沢が得られる。特に、最外周端５４における溝４７の間隔が１μｍ以下とされることで、金属調としての質感がより効果的に強調される。
【００３９】
また、本実施形態に係る旭光文字板１１では、隣合う溝同士で深さが異なるので、隣合う溝毎に反射される反射光の波長が異なるものとなり、現れる光沢における違和感のある規則性が抑制される。これにより、旭光模様が作為的とならず、より本物感に富んだ金属感が得られる。
【００４０】
更に、本実施形態に係る旭光文字板１１では、シクロオレフィンポリマー樹脂（ＣＯＰ）等の転写性の良い樹脂材料により成形されるので、成形金型４９の金型目付成形面５１に形成された旭光目付の微細な金型溝７１を、樹脂成形品である基板本体４３により微細な溝４７として忠実に再現することができる。
【００４１】
そして、本実施形態に係る旭光文字板１１を備える自動車用メータでは、金属調としての質感を低下させる白色の光沢が生じず、旭光模様が虹色の光沢を有するので、視認者に高級感の印象を与えることができる。
【００４２】
ここで、上述した本発明に係る旭光文字板及び旭光文字板を備えた自動車用メータの実施形態の特徴をそれぞれ以下に簡潔に纏めて列記する。
［１］  成形金型４９の金型目付成形面５１によって旭光目付領域５３が成形される樹脂製の基板本体４３と、前記旭光目付領域５３の中心Ｃから半径方向外側に交差せずに放射状に延びて最外周端５４における間隔が１μｍ以下となるように形成され、前記旭光目付領域５３に旭光模様を付与する複数の微細な溝４７と、前記基板本体４３の少なくとも前記旭光目付領域５３に被着される金属薄膜４５と、を備えることを特徴とする旭光文字板１１。
［２］  上記［１］の構成の旭光文字板１１であって、前記溝４７は、隣合う溝同士で深さが異なることを特徴とする旭光文字板１１。
［３］  上記［１］または［２］の構成の旭光文字板１１であって、前記基板本体４３が、転写性の良い樹脂材料により成形されることを特徴とする旭光文字板１１。
［４］  上記［１］〜［３］の何れか１つの構成の旭光文字板１１を備えることを特徴とする自動車用メータ（速度計）１７。
【００４３】
従って、本実施形態に係る旭光文字板１１及び旭光文字板１１を備えた速度計１７によれば、樹脂成形品でありながら、あたかも本物の金属を切削して製造されたような見栄えを視認者に与えることができ、金属切削品に比べ低コストで得られる旭光文字板１１及び旭光文字板１１を備えた速度計１７を提供することができる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４４】
１１…旭光文字板
１７…速度計（自動車用メータ）
４３…基板本体
４５…金属薄膜
４７…溝
４９…成形金型
５１…金型目付成形面
５３…旭光目付領域
Ｃ…中心
Ｐ…ピッチ（間隔）
【図１】
2015114228.tif 000003
【図２】
2015114228.tif 000004
【図３】
2015114228.tif 000005
【図４】
2015114228.tif 000006
【図５】
2015114228.tif 000007
【図６】
2015114228.tif 000008
【図７】
2015114228.tif 000009